(57)【要約】【課題】長さの異なる筒状体であってもある長さの範囲であればフレキシブルに対応できるとともに、ケースの内壁に触れないように安定的に筒状体を収容することができる筒状体収容ケースを提供する。【解決手段】筒状体Ａを収容する筒状体収容ケース１であって、筒状に形成されたケース本体２と、ケース本体２の両端部に外嵌自在で且つ外嵌代が可変な一対のケース蓋３とを備え、ケース蓋３には、筒状体Ａの両端部内に挿入して筒状体Ａをケース蓋３及びケース本体２に対して所定間隔を隔てた状態で保持する保持部材５が設けられ、ケース本体２、ケース蓋３及び保持部材５が紙製で作製されている。保持部材５は、その挿入部が段状に形成されている。ケース本体２には、ケース本体２の両端部もしくはいずれか一端部を切断してその長さを調整するためのミシン目が適数本形成されている。【選択図】  図１
2006341907.tif 000002
【特許請求の範囲】
【請求項１】
筒状体を収容する筒状体収容ケースであって、
筒状に形成されたケース本体と、当該ケース本体の両端部に外嵌自在で且つ外嵌代が可変な一対のケース蓋とを備え、
ケース蓋には、上記筒状体の両端部内に挿入して当該筒状体をケース蓋及びケース本体に対して所定間隔を隔てた状態で保持する保持部材が設けられ、
上記ケース本体、ケース蓋及び保持部材が紙製からなることを特徴とする筒状体収容ケース。
【請求項２】
前記保持部材は、その挿入部が段状に形成されてなることを特徴とする請求項１に記載の筒状体収容ケース。
【請求項３】
前記ケース本体には、当該ケース本体の両端部もしくはいずれか一端部を切断してその長さを調整するためのミシン目が適数本形成されてなることを特徴とする請求項１又は２に記載の筒状体収容ケース。
【請求項４】
前記ケース本体には、当該ケース本体の長さに応じた中央にセンタラインが付されるとともに、このセンタラインを基準にして両端に亘って左右対称に目盛りが付されてなることを特徴とする請求項１、２又は３に記載の筒状体収容ケース。
【発明の詳細な説明】
【技術分野】
【０００１】
本発明は、筒状体を運搬する際などに当該筒状体を保護するために用いる筒状体収容ケースに関するものである。
【背景技術】
【０００２】
従来、ある物品を運搬するにあたっては、物品を損傷や破損から保護するためにケースに収容しているのが一般的であり、この場合その物品の長さに応じたケースを用いている（例えば、特許文献１参照。）。
【０００３】
また、物品によっては、品質保持等からケースの内壁に触れないように収容しなければならないものもあり、例えばこれが筒状物品の場合にはケースの両端に当該筒状物品の両端部内に挿入して保持する保持部材を設け、これら保持部材で筒状物品の両端部を保持することによってケースの内壁に触れない状態で筒状物品を収容している。
【特許文献１】特開平５−３１３３３２号公報
【発明の開示】
【発明が解決しようとする課題】
【０００４】
しかしながら、上記従来のケースでは、物品の長さが異なれば、異なるごとにそれに対応する専用のケースが必要になるため、それに見合う複数のケースを保有しなければならず管理が大変であった。
【０００５】
また、ケースが段ボール等の紙製である場合でも、当該ケースの中で物品を保持する保持部には強度的な面からプラスチック製のものが一般的に使用されている。例えば筒状の物品であれば、当該物品の両端部に挿入して保持するプラスチック製の保持部材をケースの両端に設けている。しかし、この場合、使用後に処分するには、紙とプラスチックとを分別して廃棄する必要があり手間がかかるとともに、プラスチック製の保持部材の廃棄は環境破壊を招く要因にもなっていた。
【０００６】
本発明は、上記問題点に鑑みてなされたもので、その目的とするところは、長さの異なる筒状体であってもある長さの範囲であればフレキシブルに対応できるとともに、ケースの内壁に触れないように安定的に筒状体を収容することができ、しかも使用後の処分も容易で環境にやさしい筒状体収容ケースを提供することにある。
【課題を解決するための手段】
【０００７】
上記の目的を達成するため、請求項１に係る発明の筒状体収容ケースは、筒状体を収容する筒状体収容ケースであって、筒状に形成されたケース本体と、当該収容ケース本体の両端部に外嵌自在で且つ外嵌代が可変な一対のケース蓋とを備え、ケース蓋には、上記筒状体の両端部内に挿入して当該筒状体をケース蓋及びケース本体に対して所定間隔を隔てた状態で保持する保持部材が設けられ、上記ケース本体、ケース蓋及び保持部材が紙製からなるものである。
【０００８】
請求項２に係る発明の筒状体収容ケースは、前記保持部材が、その挿入部が段状に形成されてなるものである。
【０００９】
請求項３に係る発明の筒状体収容ケースは、前記ケース本体には、当該ケース本体の両端部もしくはいずれか一端部を切断してその長さを調整するためのミシン目が適数本形成されてなるものである。
【００１０】
請求項４に係る発明の筒状体収容ケースは、前記ケース本体には、当該ケース本体の長さに応じた中央にセンタラインが付されるとともに、このセンタラインを基準にして両端に亘って左右対称に目盛りが付されてなるものである。
【発明の効果】
【００１１】
本発明によれば、１個の筒状体収容ケースで長さの異なる各種の筒状体を所定の範囲であれば無段階に収容することができるとともに、ケース本体及びケース蓋の内壁に触れないように筒状体を安定的に収容することができ、これより筒状体を外的な損傷などから好適に保護した状態で運搬などを行うことができる。
【発明を実施するための最良の形態】
【００１２】
以下、本発明の実施の形態について図面を参照して説明する。
【００１３】
図１は、本発明の筒状体収容ケースの全体構成を示している。
【００１４】
この筒状体収容ケース１は、内部に筒状体Ａを収容するためのもので、ケース本体２と、２組一対のケース蓋３、３とを備えている。
【００１５】
ケース本体２は、図２に示すように断面が矩形状である紙製の筒状体であって、例えば平板状の段ボールを矩形状に折り曲げて両端縁をガムテープなどで接合することによって作製している。
【００１６】
また、ケース本体２の一端部２１には、当該ケース本体２全体の長さを調整するための適数本（例えば所定間隔隔てて２本）のミシン目２２ａ、２２ｂが全周に亘って形成されている。従って、後述する筒状体の長さに応じてミシン目２２ａもしくは２２ｂに沿って一端部２１の一部を切断することでケース本体２の全長をミシン目２２ａ、２２ｂの位置に合わせて適宜に調整することができる。
【００１７】
さらに、ケース本体２の図２及び図３において前面となる一側面２ａには、センタライン４ａと、当該センタライン４ａを基準に複数の目盛り４ｃが左右対称に形成されるとともに、ケース本体２の図２及び図３において上面となる一側面２ｂには、センタライン４ｂと、当該センタライン４ｂを基準に複数の目盛り４ｃが左右対称に形成されている。
【００１８】
具体的には、上記センタライン４ａはミシン目２２ａ、２２ｂに沿って切断していないケース本体２の中央を示し、センタライン４ｂは一端から１本目のミシン目２２ａに沿って切断したケース本体２の中央を示している。また、目盛り４ｃはセンタライン４ａを基準にして左右に各４本が間隔で左右対称に形成されており、目盛り４ｃはセンタライン４ｂを基準にして左右に各３本が間隔で左右対称に形成されている。
【００１９】
これら目盛り４ｃは、後述するケース蓋３をケース本体２の両端部に外嵌する際の目安とするもので、ケース本体２の長さに応じたセンタライン４ａ、４ｂを基準にして同じ目盛りまでケース蓋３を挿入することによって、ケース本体２の両端部での左右のケース蓋３の各重ね代（外嵌代）を容易に均一にすることができる。
【００２０】
なお、図示はしないがミシン目２２ｂに沿って切断した場合のセンタラインと、このセンタラインを基準に左右対称に形成した目盛りとが図２及び図３におけるケース本体２の裏面側もしくは下面側に形成されている。
【００２１】
ケース蓋３は、図４に示すように一端が開口３１された紙製の箱状体であって、例えば平板状の段ボールを箱状に折り曲げてガムテープなどで接合することによって作製している。このケース蓋３は、上記開口３１を通じて上記ケース本体２の両端部外周に外嵌可能になされている。
【００２２】
ケース本体２とケース蓋３との長さの関係は、本実施の形態ではケース蓋３をケース本体２の長さに対して１／２になる長さに設定している。
【００２３】
一方、各ケース蓋３内の最奥には保持部材５がそれぞれ配設されている。各保持部材５は、図５に示すように２枚の保持板５１、５２からなり、各保持板５１、５２には一端から途中部にかけて切欠５３が左右対称に形成されている。
【００２４】
これら各切欠５３の内側縁は、一端側が一段下がった上段５４ａと下段５４ｂとからなる段状に形成されている。
【００２５】
また、一方の保持板５１にはその他端中央から途中部にかけて切込み５ａが形成されるとともに、他方の保持板５２にはその一端中央から途中部にかけて切込み５ｂが形成されており、これら切込み５ａ、５ｂ同士を嵌め合わせることで図４に示すように２枚の保持板５１、５２が×状になって保持部材５を形成する。
【００２６】
そして、このように形成された保持部材５の各外端をケース蓋３の各コーナに合わせて当該ケース蓋３内の最奥まで挿入することで、ケース蓋３内に保持部材５を安定した状態で配置することができる（図４参照）。この場合、前述した上段５４ａ、下段５４ｂが後述する筒状体Ａの両端開口に挿入して当該筒状体Ａを保持する段状の挿入部５４を構成しており、４つの上段５４ａで大きい径の筒状体Ａの両端部を保持するとともに、４つの下段５４ｂで小さい径の筒状体Ａの両端部を保持する。つまり、上段５４ａと下段５４ｂとで２段に形成したことで径の異なる２種類の筒状体Ａを保持することができる。
【００２７】
この保持部材５を構成する保持板５１、５２も前記ケース本体２及びケース蓋３と同様に段ボールで作製されている。
【００２８】
従って、上述したように構成された筒状体収容ケース１に筒状体Ａを収容する場合には、ケース本体２内に筒状体Ａを挿通させた状態で、当該筒状体Ａの両端部内に左右のケース蓋３内に設けられた保持部材５の挿入部５４を挿入するようにして左右のケース蓋３をケース本体２の両端部外周に差込んで嵌め込むことによって、図１に示すようにケース本体２及びケース蓋３の内壁に触れないように筒状体Ａを安定的に収容することができる。これより筒状体Ａを外的な損傷などから好適に保護した状態で運搬などを行うことができる。
【００２９】
この場合、ケース本体２の両端部に対するケース蓋３の差込み量を調整するとともに、必要に応じてケース本体２をミシン目２２ａ、２２ｂに沿って切断してその全長を調整することによって、１個の筒状体収容ケース１で長さの異なる各種の筒状体Ａを所定の範囲であれば無段階に収容することができ、汎用性に優れたケースを提供することができる。なお、ケース本体２の両端部に対するケース蓋３の差込み量は、ケース蓋３が抜け落ちないだけの必要最小限を確保する必要がある。
【００３０】
また、ケース本体２の長さに応じたセンタライン４ａ、４ｂ等を基準にして左右のケース蓋３の差込み量を調整することで、ケース本体２の両端部に対してケース蓋３を左右均等に差込むことが容易であり、これによりケース蓋３の不用意な抜け落ちなどを防止して筒状体を安定な状態で収容することができる。
【００３１】
さらに、段ボールの持つ軟性により挿入部５４に対して多少小さい径の筒状体Ａであっても挿入保持することが可能である。
【００３２】
また、筒状体収容ケース１が不要になった場合には、ケース本体２、ケース蓋３及び保持部材５を展開して折り畳むことができ、手軽に廃棄することができるとともに、紙製であるので焼却処分することができ環境にもやさしい。
【００３３】
ところで、このように構成された筒状体収容ケース１に収容する筒状体Ａとしては、表面に傷などが付くと品質を損なう例えば高級な特殊紙を巻回したロールや、反物を巻回したロールなどが掲げられ、中空状に形成された上記ロールの両端部を上述したように保持部材５によって保持することによって筒状体収容ケース１に収容することができる。
【００３４】
なお、上述した実施形態は、あくまでも本発明の好適な実施態様を示すものであって、本発明はこれに限定されることなく、その範囲内において種々設計変更可能である。
【００３５】
例えば、挿入部５４は２段に限らず、段がないものや３段以上に形成したものであってもよい。
【００３６】
また、ミシン目２２ａ、２２ｂの本数は、本実施の形態のように２本に限らず１本もしくは３本以上でもよく、これに応じてセンタラインと目盛りとをケース本体２の所定の側面に付せばよい。なお、４本以上のミシン目を形成した場合にはケース本体２の一側面に複数のセンタラインとこのセンタラインに基づく目盛りを付さなければならないが、一側面で上下に分けて示したり、色を変えて示すことで対応することができる。また、一端部２１だけでなく、一端部２１と他端部との両方もしくは他端部だけに設けてもよい。
【図面の簡単な説明】
【００３７】
【図１】本発明の筒状体収容ケースの全体構成を示す斜視図である。
【図２】同じく筒状体収容ケースの構成を示す分解斜視図である。
【図３】ケース本体を示す斜視図である。
【図４】ケース蓋を示す斜視図である。
【図５】保持部材を示す分解斜視図である。
【符号の説明】
【００３８】
１  筒状体収容ケース
２  ケース本体
２２ａ、２２ｂ  ミシン目
３  ケース蓋
４ａ、４ｂ  センタライン
４ｃ  目盛り
５  保持部材
５４  挿入部
５４ａ  上段
５４ｂ  下段
【図１】
2006341907.tif 000003
【図２】
2006341907.tif 000004
【図３】
2006341907.tif 000005
【図４】
2006341907.tif 000006
【図５】
2006341907.tif 000007